(57)【要約】    【課題】  本発明の課題は、機密書類の流出、漏洩を可及的に防止するとともに、その再資源化が図れる機密書類廃棄方法および機密書類廃棄ボックスを提供することにある。    【解決手段】  本発明に関わる機密書類廃棄方法は、蓋体２oが施錠された後に機密書類ｐが箱体２内に廃棄された複数の機密書類廃棄ボックス１が、各々、開錠されてセットされた投入機Ｔにより、廃棄処理容器Ｃ近傍まで移送される工程と、投入機Ｔにより機密書類廃棄ボックス１を反転して保持し蓋体２oを揺動して箱体２の開口２ｋを開放し、機密書類廃棄ボックス１内の機密書類ｐを廃棄処理容器Ｃ内に投入する工程と、反転され空になった機密書類廃棄ボックス１を投入機Ｔによりセット位置まで復動する工程とを含んで成る。    【選択図】  図９
2006273453.tif 000002
【特許請求の範囲】
【請求項１】
蓋体が施錠された後に機密書類が箱体内に廃棄された複数の機密書類廃棄ボックスが、各々、開錠されてセットされた投入機により、廃棄処理容器近傍まで移送される工程と、
前記投入機により前記機密書類廃棄ボックスを反転して保持し前記蓋体を揺動して前記箱体の開口を開放し、前記機密書類廃棄ボックス内の機密書類を前記廃棄処理容器内に投入する工程と、
反転され空になった前記機密書類廃棄ボックスを前記投入機によりセット位置まで復動する工程と
を含んで成る機密書類廃棄方法。
【請求項２】
廃棄された機密書類を廃棄処理するための機密書類廃棄ボックスであって、
廃棄すべき機密書類を収納する箱体と、
該箱体の開口を開閉し、閉塞された前記箱体内部の目視を阻止する目隠し部材を有する機密書類廃棄口を具えた蓋体と、
前記蓋体を前記箱体にロックするロック手段と、
前記箱体と一体に形成され、前記箱体を移送し反転させる移送・反転部材が挿入される挿入孔と
を具備することを特徴とする機密書類廃棄ボックス。
【請求項３】
さらに、前記機密書類廃棄ボックスを移動するための移動手段を備える
ことを特徴とする請求項２に記載の機密書類廃棄ボックス。
【請求項４】
前記蓋体は、前記箱体に揺動自在に枢設され前記箱体の上部を開閉し、前記箱体が反転されることにより揺動して前記箱体の開口を開放する
ことを特徴とする請求項２または請求項３に記載の機密書類廃棄ボックス。
【発明の詳細な説明】
【技術分野】
【０００１】
本発明は、顧客情報、技術情報などの機密保持が要求される重要書類等の機密漏洩を防止するための機密書類廃棄方法および機密書類廃棄ボックスに関する。
【背景技術】
【０００２】
昨今、顧客情報、技術情報等の全ゆる情報がコンピュータ処理され用紙に印字されるとともに、重要な機密情報が印刷された機密書類の量が増加している。
【０００３】
そのため、これら機密書類の流出、漏洩の防止ニーズが多数の企業間で高まりつつある。
【０００４】
これらの機密書類を廃棄するに際しては、従来、シュレッダーで機密書類を細片に裁断し、燃えるゴミと一緒に人手により運び、焼却処分に付している。
【０００５】
なお、本出願に係る文献公知発明としては、下記の文献がある。
【特許文献１】特開２００３−６２４７６号公報
【特許文献２】特開２００２−１９４６８５号公報
【特許文献３】特開２００２−９６０５５号公報
【特許文献４】特開２００２−５３２０１号公報
【特許文献５】特開２００１−２７０６０４号公報
【特許文献６】特開平１１−３４３００７号公報
【特許文献７】特開平１１−３２１８６９号公報
【特許文献８】特開平９−３０１５０１号公報
【発明の開示】
【発明が解決しようとする課題】
【０００６】
ところで、上述の機密書類をシュレッダーで細片に裁断し、燃えるゴミと一緒に焼却処分に付する処理方法は、焼却処分に至る過程において盗難に会ったり、裁断された細片が組合わせられ、機密書類が再度、復元される可能性がある。
【０００７】
そのため、機密書類を処分する過程において、廃棄された機密書類を、人のアクセスが少なく確実に溶解処分にすることが望まれている。
【０００８】
また、近年におけるゴミ処理問題を考慮するに、この機密情報の処理においても、地球環境に配慮した方法が好ましい。
【０００９】
本発明は上記実状に鑑み、顧客情報、技術情報等の機密保持が要求される機密書類の流出、漏洩を可及的に防止するとともに、その再資源化が図れる機密書類廃棄方法および機密書類廃棄ボックスの提供を目的とする。
【課題を解決するための手段】
【００１０】
上記目的を達成するべく、本発明の請求項１に関わる機密書類廃棄方法は、蓋体が施錠された後に機密書類が箱体内に廃棄された複数の機密書類廃棄ボックスが、各々、開錠されてセットされた投入機により、廃棄処理容器近傍まで移送される工程と、前記投入機により前記機密書類廃棄ボックスを反転して保持し前記蓋体を揺動して前記箱体の開口を開放し、前記機密書類廃棄ボックス内の機密書類を前記廃棄処理容器内に投入する工程と、反転され空になった前記機密書類廃棄ボックスを前記投入機によりセット位置まで復動する工程とを含んで成る。
【００１１】
本発明の請求項２に関わる機密書類廃棄ボックスは、廃棄された機密書類を廃棄処理するための機密書類廃棄ボックスであって、廃棄すべき機密書類を収納する箱体と、該箱体の開口を開閉し、閉塞された前記箱体内部の目視を阻止する目隠し部材を有する機密書類廃棄口を具えた蓋体と、前記蓋体を前記箱体にロックするロック手段と、前記箱体と一体に形成され、前記箱体を移送し反転させる移送・反転部材が挿入される挿入孔とを具備している
本発明の請求項３に関わる機密書類廃棄ボックスは、請求項２に記載の機密書類廃棄ボックスにおいて、さらに、前記機密書類廃棄ボックスを移動するための移動手段を備えている。
【００１２】
本発明の請求項４に関わる機密書類廃棄ボックスは、請求項２または請求項３に記載の機密書類廃棄ボックスにおいて、前記蓋体は、前記箱体に揺動自在に枢設され前記箱体の上部を開閉し、前記箱体が反転されることにより揺動して前記箱体の開口を開放する。
【発明の効果】
【００１３】
以上、詳述した如く、本発明の請求項１に関わる機密書類廃棄方法によれば、機密書類廃棄ボックスを反転して保持し蓋体を揺動して箱体の開口を開放し、機密書類廃棄ボックス内の機密書類を廃棄処理容器に投入するので、機密書類を可及的に人目に触れることなく廃棄処理できる。
【００１４】
本発明の請求項２に関わる機密書類廃棄ボックスによれば、蓋体の機密書類廃棄口に閉塞された箱体内部の目視を阻止する目隠し部材を有するので、箱体内部の機密書類が目視されることが防止される。
【００１５】
また、移送・反転部材が挿入される挿入孔を具備するので、機密書類が収納された箱体を移送して反転し保持し、箱体内から機密書類を外に出し廃棄できる。
【００１６】
また、箱体と一体に形成され、箱体を移送し反転させる移送・反転部材が挿入される挿入孔を有するので、塵芥処理室の既存の投入機を用いて箱体内の機密書類の処分が行える。
【００１７】
本発明の請求項３に関わる機密書類廃棄ボックスによれば、機密書類廃棄ボックスを移動するための移動手段を備えるので、機密書類廃棄ボックスの移動を容易に行える。
【００１８】
本発明の請求項４に関わる機密書類廃棄ボックスによれば、蓋体は箱体に揺動自在に枢設され箱体の上部を開閉し、箱体が反転されることにより揺動して箱体の開口を開放するので、箱体内の機密書類を人の目に触れることなく廃棄できる。
【発明を実施するための最良の形態】
【００１９】
以下、本発明の実施形態について添付図面を参照して説明する。
【００２０】
本発明を適用した機密書類を廃棄するための廃棄ボックス(機密書類廃棄ボックス)１は、図１に示すように、廃棄された機密書類が収納される収納箱(箱体)２と、この収納箱２の上部開口を開閉する蓋板(蓋体)２oと、収納箱２下方に一体的に形成される作業用孔(挿入孔)３1、３2と、この作業用孔３を画成する下板３ａの下面角部に配設される４つのキャスター(移動手段)ｃaとを備え構成されている。
【００２１】
上記の収納箱２は、図１、図４(ａ)、および図４(ａ)の上面図の図４(ｂ)に示すように、スチール製の枠体１w(１w1、１w2、１w3)が外郭を形成しており、この枠体１wとスチール製の側板２ｓ1、２ｓ2、２ｓ3、２ｓ4および下面板２dとにより、上部に開口２ｋを有する箱体を構成している。  この収納箱２は、例えば、各辺が約６０〜７０ｃｍ程度の大きさを有している。
【００２２】
なお、収納箱２は上記の大きさに限定されないことは言うまでもない。
【００２３】
そして、収納箱２の上面部には、図１、上面図の図２(ａ)に示すように、スチール製の蓋板２oが、後上部枠体１w2に固定された蝶番ｃb、ｃbにその一方端部が固定され、開口２ｋを覆う態様で開閉自在に枢設されている。(図１、図４(ａ)参照)
この蓋板２oの中央部には、図１、図２(ａ)に示すように、廃棄書類を収納箱２内に廃棄するための挿入口(機密書類廃棄口)２o1が、蓋板２oの一部を切り欠き折り曲げて形成されている。(図２(ａ)の右側面図の図３(ａ)参照)  この蓋板２oの一部を切り欠き折り曲げた目隠し板(目隠し部材)２o2により、収納箱２内に廃棄された機密書類が外部から目視されることが防止されている。
【００２４】
この蓋板２oの他方端部には、図１、図２(ａ)に示すように、ロック板(ロック手段)ｌが固定されており、該ロック板ｌの中央部には、蓋板２oの閉塞時、前上部枠体１w１に立設される略コ字状の形状を有する四角枠状のロック係合体(ロック手段)１wr(図１のＡ方向矢視の前面図である図２(ｂ)参照)が挿通するロック孔(ロック手段)ｌkが穿設されている。
【００２５】
この構成により、図４(ａ)に示すように、蓋板２oが開き収納箱２の開口２ｋが開放された状態から、蓋板２oを閉じる方向の下方に揺動すると、図２に示すように、蓋板２oに固定されたロック板ｌのロック孔ｌkに、前上部枠体１w１に固定されたロック係合体１wrが挿通して、蓋板２oにより収納箱２の開口２ｋが閉塞される。  そして、図１に示すように、ロック係合体１wrに南京錠ｋを掛けることで、蓋板２oを収納箱２の上面の位置にロックし、収納箱２を確実に閉塞し機密を保持できる。
【００２６】
また、収納箱２の下方には、図１、図２(ｂ)、図１のＢ方向矢視の後面図である図３(ｂ)に示すように、収納箱２の下面となる下面板２dと、下板３ａと、該下面板２dおよび下板３ａ間の中央かつ前後方向に亘って配設される支持板３ｂとにより画成される作業用孔３1、３2が形成されている。
【００２７】
この作業用孔３1、３2には、収納箱２内に廃棄された機密書類を処分するに際して、投入機Ｔのフォーク(移送・反転部材)Ｔf、Ｔfが挿入され、廃棄ボックス１をリフトアップして反転し、収納箱２内の機密書類をコンテナ(廃棄処理容器)Ｃへ投入する。
【００２８】
このように、作業用孔３1、３2を収納箱２の下方に配置すれば、塵芥処理室における既存の投入機ＴのフォークＴf、Ｔfの位置に適合するため、最適である。
【００２９】
また、図１、図２(ｂ)、図３(ｂ)に示すように、後縦枠体１w3、１w4上部間には、廃棄ボックス１を移動する際に作業員Ｓが握る運搬用手摺ｔが懸架されている。  この運搬用手摺ｔを、図６に示すように、作業員Ｓが握り誘導することにより、下板３ａ下方に配設される４つのキャスターｃaを用いて、廃棄ボックス１を任意の場所に移動することができる。
【００３０】
なお、上記キャスターｃaは、モータおよび減速機構を用いて駆動する構成にしてもよく、また、移動手段であるキャスターｃaを、廃棄ボックス１とは別体の構成として、キャスターｃa無しの廃棄ボックス１と別体の移動手段とを組合わせて用いる構成としてもよい。
【００３１】
次に、上述した廃棄ボックス１を用いた機密書類の廃棄処理過程について説明する。
【００３２】
まず、作業員Ｓが、空の廃棄ボックス１(図４(ｂ)参照)をビルの各フロアの任意の場所に、図６に示すように、運搬用手摺ｔを握ってキャスターｃaにより移動させ設置する。
【００３３】
設置された各廃棄ボックス１は、図１、図７に示すように、蓋板２oにより収納箱２の開口２ｋが閉塞され、蓋板２oに固定されたロック板ｌのロック孔ｌkに、前上部枠体１w１に固定されたロック係合体１wrが挿通され、ロック係合体１wrに南京錠ｋが掛けられ、蓋板２oが収納箱２にロックされている。  こうして、蓋板２oが開放されることが防止されており、収納箱２内に廃棄される機密書類が目視されたり、盗難されることが防止されている。
【００３４】
このように施錠された廃棄ボックス１がビル内に設置された場合、テナントの社員等が、機密書類を蓋板２oの挿入口２o1を通して収納箱２に廃棄する。
【００３５】
この際、テナント社員は、目隠し板２o2により収納箱２内を目視できず、廃棄された機密書類が人目に触れることがない。  このように、収納箱２内は、目隠し板２o2により目視できないため、機密書類に記載された機密が外部に漏洩することが防止されている。
【００３６】
そして、廃棄ボックス１の回収日が到来すると、機密書類が収納された各廃棄ボックス１は、図６に示すように、作業員Ｓが、運搬用手摺ｔを握って回収し、塵芥処理室に集積する。
【００３７】
塵芥処理室内に運び込まれた各廃棄ボックス１は、機密管理者Ｋにより、南京錠ｋの施錠(図１、図７参照)が開錠される。
【００３８】
続いて、図８に示すように、開錠された廃棄ボックス１を投入機Ｔの所定位置にセットし、機密管理者Ｋが、制御盤ｓbを操作して投入機ＴのフォークＴf、Ｔfを、廃棄ボックス１下方の作業用孔３1、３2に差し込み、廃棄ボックス１をリフトアップする。
【００３９】
そして、図８のＣ方向矢視図の図９(ａ)に示すように、フォークＴf、Ｔfにより廃棄ボックス１を、圧縮機ｃoに向って傾けつつリフトアップし、図９(ｂ)に示すように、廃棄ボックス１を圧縮機ｃoに向って横倒し、さらに傾動させると、図９(ｃ)に示すように、収納箱２上面部の蓋板２oが、自重により蝶番ｃb、ｃb廻りに揺動して開き、収納箱２内の廃棄済みの機密書類ｐが圧縮機ｃo内に投入される。
【００４０】
このように、機密管理者Ｋにより開錠された廃棄ボックス１は、人手を煩わすことなく、すなわち、人のアクセスがなく、収納箱２内の機密書類ｐが圧縮機ｃo内に投入されるので、機密保持を徹底できる。
【００４１】
そして、空となった各廃棄ボックス１は、投入機Ｔにより、図８に示すように、元のセット位置まで復動され戻される。
【００４２】
続いて、各廃棄ボックス１は投入機Ｔのセット位置から取出され、図７に示すように、収納箱２の蓋板２oが閉じられ、機密管理者Ｋにより南京錠ｋが施錠される。  そして、図６に示すように、作業員Ｓにより、再び、ビル内の所定の場所に設置され、機密書類の廃棄が行われる。
【００４３】
一方、圧縮機ｃo内に投入された廃棄済みの機密書類ｐは、図１０(ａ)に示すように、圧縮され、図１０(ｂ)に示すコンテナＣに積載される。
【００４４】
同様にして、他の全ての廃棄ボックス１に収納された廃棄済み機密書類ｐが、コンテナＣ内に圧縮されて積載される。
【００４５】
こうして、廃棄済みの機密書類ｐが積載されたコンテナＣは、トラックにより製紙工場に運搬される。
【００４６】
製紙工場においては、まずコンテナＣ全体の入庫重量が検量された後、搬入された廃棄済みの機密書類ｐの溶解処理が行われる。
【００４７】
そして、廃棄済みの機密書類ｐを荷降ろしたコンテナＣは、空車重量、すなわち、廃棄重量が測定され、所定の空車重量に適合している場合に、工場側から溶解証明書が発行される。
【００４８】
その後、空車となったコンテナＣは、再び、新たな廃棄済み機密書類を運搬するため、元のビルの塵芥処理室に運び込まれる。
【００４９】
上述したサイクルを繰り返すことにより、廃棄ボックス１に廃棄された機密書類ｐが機密漏洩することなく、溶解処理により完全に消滅する。
【００５０】
上記構成によれば、廃棄ボックス１内に廃棄された機密書類ｐは、蓋板２oの目隠し板２o2により人の目に触れることがない。
【００５１】
また、廃棄ボックス１は、収納箱２下方に一体的に形成される作業用孔３を備えるので、塵芥処理室の既存の投入機のフォークＴf、Ｔfを用いて廃棄ボックス１をリフトアップして反転でき、箱体内の機密書類の処分が行える。
【００５２】
また、開錠された廃棄ボックスは、投入機ＴのフォークＴf、Ｔfによりリフトアップして反転され、蓋板２oが自重により蝶番ｃb、ｃb廻りに揺動して開き、収納箱２内の廃棄済みの機密書類ｐが圧縮機ｃo内に投入される。
【００５３】
このように、人手を介さず、人のアクセスが防止された状態で機密書類ｐの圧縮機ｃo内への投入が行われるので、廃棄済みの機密書類ｐの機密の漏洩が可及的に防止される。
【００５４】
そして、廃棄済みの機密書類ｐは溶解処理されるので、機密書類ｐに記載された機密事項は、完全消滅して機密漏洩を防止できる。
【００５５】
このように、廃棄された機密書類ｐは、溶解処理されるため、再生紙として再利用が可能であり、資源の有効活用が図れる。
【００５６】
従って、新たなゴミを生ずることがなく、地球環境保全に資する最適な機密書類廃棄方法が得られる。
【図面の簡単な説明】
【００５７】
【図１】本発明を適用した実施例の廃棄ボックスを示す斜視図
【図２】(ａ)および(ｂ)は、実施例の廃棄ボックスを示す上面図、および図１に示す廃棄ボックスのＡ方向矢視の前面図。
【図３】(ａ)および(ｂ)は、図２(ｂ)に示す廃棄ボックスの右側面図、および図１に示す廃棄ボックスのＢ方向矢視の後面図。
【図４】(ａ)および(ｂ)は、実施例の廃棄ボックスの蓋板を開いた状態を示す斜視図、および(ａ)図に示す廃棄ボックスの上面図。
【図５】塵芥処理室の扉をカードキーにより開錠する状態を示す斜視図。
【図６】作業員が廃棄ボックスを移動する状態を示す斜視図。
【図７】廃棄ボックスの収納箱の開口が蓋板により閉塞され、南京錠によりロックされた状態を示す斜視図。
【図８】施錠が外された廃棄ボックスを投入機の所定位置にセットした状態を示す斜視図。
【図９】(ａ)、(ｂ)、および(ｃ)は、廃棄ボックスを、圧縮機に向って傾けつつリフトアップし、廃棄済みの機密書類を圧縮機内に投入する工程を示す斜視図。
【図１０】(ａ)および(ｂ)は、投入された機密書類を圧縮機で圧縮する状態を示す斜視図、およびコンテナを示す斜視図。
【符号の説明】
【００５８】
１…廃棄ボックス(機密書類廃棄ボックス)、
１wr…ロック係合体(ロック手段)、
２…収納箱(箱体)、
２ｋ…開口(箱体の開口)、
２o…蓋板(蓋体)、
２o1…挿入口(機密書類廃棄口)、
２o2…目隠し板(目隠し部材)、
３1、３2…作業用孔(挿入孔)、
Ｃ…コンテナ(廃棄処理容器)、
ｃa…キャスター(移動手段)、
ｌ…ロック板(ロック手段)ｌ、
ｌk…ロック孔(ロック手段)、
ｐ…機密書類、
Ｔ…投入機、
Ｔf…フォーク(移送・反転部材)。
【図１】
2006273453.tif 000003
【図２】
2006273453.tif 000004
【図３】
2006273453.tif 000005
【図４】
2006273453.tif 000006
【図５】
2006273453.tif 000007
【図６】
2006273453.tif 000008
【図７】
2006273453.tif 000009
【図８】
2006273453.tif 000010
【図９】
2006273453.tif 000011
【図１０】
2006273453.tif 000012